(57)【要約】【課題】対象物の寸法に合わない商品が購入されることを抑制する画像形成装置を提供する。【解決手段】画像形成装置２０は、取得部２２と、特定部２３と、画像形成部２４とを備える。取得部２２は、対象物の寸法を示す第１寸法情報Ｓ１１〜Ｓ１４と、キーワードと、キーワードに関連する商品の寸法を示す互いに異なる複数の第２寸法情報Ｓ２とを取得する。特定部２３は、複数の第２寸法情報Ｓ２のうちから第１寸法情報Ｓ１１〜Ｓ１４に対応する第２寸法情報Ｓ２を特定する。画像形成部２４は、特定された第２寸法情報Ｓ２を含む画像をシートＰ１に形成する。【選択図】図１
2019061430.tif 000002
【特許請求の範囲】
【請求項１】
対象物の寸法を示す第１寸法情報と、キーワードと、前記キーワードに関連する商品の寸法を示し互いに異なる複数の第２寸法情報とを取得する取得部と、
前記複数の第２寸法情報のうちから前記第１寸法情報に対応する第２寸法情報を特定する特定部と、
前記特定された第２寸法情報を含む画像をシートに形成する画像形成部と
を備える、画像形成装置。
【請求項２】
前記特定部は、前記第１寸法情報と、前記特定された第２寸法情報との差分を算出し、
前記画像形成部は、前記特定された第２寸法情報に加えて前記差分を含む画像をシートに形成する、請求項１に記載の画像形成装置。
【請求項３】
前記画像形成部は、前記特定された第２寸法情報に加えて、前記商品の販売店の地図を含む画像をシートに形成する、請求項１または請求項２に記載の画像形成装置。
【請求項４】
前記画像形成部は、前記特定された第２寸法情報に加えて、前記商品を予約することを示す情報を含む画像をシートに形成する、請求項１から請求項３のいずれか１項に記載の画像形成装置。
【請求項５】
前記取得部は、前記キーワードと、互いに異なる複数の第２寸法情報とを取得し、
前記キーワードは、商品のブランド情報を含み、
前記複数の第２寸法情報は、前記ブランド情報を付して提供される複数の商品の各々の寸法を示し、
前記特定部は、前記複数の第２寸法情報のうちから前記第１寸法情報に対応する第２寸法情報を前記複数の商品ごとに特定し、
前記画像形成部は、前記複数の商品ごとに前記特定された第２寸法情報を含む画像をシートに形成する、請求項１または請求項２に記載の画像形成装置。
【請求項６】
前記取得部は、前記キーワードと、互いに異なる複数の第２寸法情報を複数のブランド情報ごとに取得し、
前記キーワードは、品目情報を含み、
前記第２寸法情報は、前記品目情報によって示される商品の寸法を示し、
前記特定部は、前記複数の第２寸法情報のうちから前記第１寸法情報に対応する第２寸法情報を前記ブランド情報ごとに特定し、
前記画像形成部は、前記ブランド情報ごとに前記特定された第２寸法情報を含む画像をシートに形成する、請求項１または請求項２に記載の画像形成装置。
【請求項７】
前記対象物の寸法を計測して前記第１寸法情報を生成する通信端末と通信する通信部をさらに備え、
前記取得部は、前記通信部を介して前記通信端末から前記生成した第１寸法情報と前記キーワードとを取得する、請求項１から請求項６のいずれか１項に記載の画像形成装置。
【請求項８】
商品を注文するための注文シートに記載された前記キーワードを読み取る画像読取部をさらに備え、
前記取得部は、前記画像読取部を介して前記注文シートから前記キーワードを取得し、
前記画像形成部は、前記特定された第２寸法情報を含む前記画像を前記シートとしての前記注文シートに形成する、請求項１に記載の画像形成装置。
【請求項９】
画像形成装置と、サーバーとを備え、
前記画像形成装置は、
対象物の寸法を示す第１寸法情報とキーワードとを取得する取得部と、特定部と、画像形成部とを含み、
前記サーバーは、キーワードに関連づけて商品の寸法を示す互いに異なる複数の第２寸法情報を複数のキーワードごとに記憶する記憶部を含み、
前記取得部は、前記取得したキーワードに関連付けられた商品の複数の第２寸法情報を前記サーバーから取得し、
前記特定部は、前記取得した前記複数の第２寸法情報のうちから前記取得した第１寸法情報に対応する第２寸法情報を特定し、
前記画像形成部は、前記特定された第２寸法情報を含む画像をシートに形成する、システム。
【発明の詳細な説明】
【技術分野】
【０００１】
本発明は、画像形成装置及びシステムに関する。
【背景技術】
【０００２】
近年、インターネット上には商品を販売するウェブサイトが設けられている。インターネットの利用者は、例えば、ウェブサイトで衣服（商品）を購入する。特許文献１に記載のインターネットを利用した仮想試着の方法では、利用者は、インターネット上で３次元コンピュータグラフィックスによって衣服を試着する。利用者は、衣服を気に入れば、その場で衣服を発注する。そして、発注した衣服が数日後に利用者へ届けられる。
【先行技術文献】
【特許文献】
【０００３】
【特許文献１】特開２００２−３２６４０号公報
【発明の概要】
【発明が解決しようとする課題】
【０００４】
しかしながら、特許文献１に記載のインターネットを利用した仮想試着の方法では、衣服（商品）の寸法と利用者の身体（対象物）の寸法とを比較していない。従って、利用者の身体の寸法に合っていない衣服が購入される恐れがある。
【０００５】
本発明は上記課題に鑑みてなされたものであり、その目的は、対象物の寸法に合わない商品が購入されることを抑制する画像形成装置及びシステムを提供することにある。
【課題を解決するための手段】
【０００６】
本発明の第１の観点によれば、画像形成装置は、取得部と、特定部と、画像形成部とを備える。取得部は、対象物の寸法を示す第１寸法情報と、キーワードと、前記キーワードに関連する商品の寸法を示す互いに異なる複数の第２寸法情報とを取得する。特定部は、前記複数の第２寸法情報のうちから前記第１寸法情報に対応する第２寸法情報を特定する。画像形成部は、前記特定された第２寸法情報を含む画像をシートに形成する。
【０００７】
本発明の第２の観点によれば、システムは、画像形成装置と、サーバーとを備える。前記画像形成装置は、取得部と、特定部と、画像形成部とを含む。取得部は、対象物の寸法を示す第１寸法情報とキーワードとを取得する。前記サーバーは、記憶部を含む。記憶部は、キーワードに関連づけて商品の寸法を示す互いに異なる複数の第２寸法情報を複数のキーワードごとに記憶する。前記取得部は、前記取得したキーワードに関連付けられた商品の複数の第２寸法情報を前記サーバーから取得する。前記特定部は、前記取得した前記複数の第２寸法情報のうちから前記取得した第１寸法情報に対応する第２寸法情報を特定する。前記画像形成部は、前記特定された第２寸法情報を含む画像をシートに形成する。
【発明の効果】
【０００８】
本発明によれば、対象物の寸法に合わない商品が購入されることを抑制することができる。
【図面の簡単な説明】
【０００９】
【図１】本発明の実施形態１に係るシステムを示す図である。
【図２】（ａ）は、実施形態１に係る通信端末が対象物の寸法を計測するときの表示部を示す。（ｂ）は、実施形態１に係る対象物の寸法の計測結果を表示する表示部を示す。（ｃ）は、実施形態１に係るブランド情報の入力画面を表示する表示部を示す。
【図３】実施形態１に係る記憶部が記憶する第１テーブルを示す。
【図４】実施形態１に係る画像形成部が画像を形成した第１シートを示す。
【図５】実施形態１に係る品目情報の入力画面を表示する表示部を示す。
【図６】実施形態１に係る画像形成部が画像を形成した第２シートを示す。
【図７】（ａ）は、実施形態２に係る通信端末が対象物の寸法を計測するときの表示部を示す。（ｂ）は、実施形態２に係る対象物の寸法の計測結果を表示する表示部を示す。（ｃ）は、実施形態２に係る品目情報の入力画面を表示する表示部を示す。
【図８】実施形態２に係る記憶部が記憶する第２テーブルを示す。
【図９】実施形態２に係る画像形成部が画像を形成した第３シートを示す。
【図１０】本発明の実施形態３に係るシステムを示す図である。
【図１１】（ａ）は、実施形態３に係る画像読取部が画像を読み取る前の注文シートを示す。（ｂ）は、実施形態３に係る画像形成部が画像を形成した注文シートを示す。
【図１２】実施形態３に係る記憶部が記憶する第３テーブルを示す。
【発明を実施するための形態】
【００１０】
以下、図面を参照して本発明の実施形態を説明する。ただし、本発明は以下の実施形態に限定されない。図中、同一又は相当部分については同一の参照符号を付して説明を繰り返さない。なお、説明が重複する箇所については、適宜説明を省略する場合があるが、発明の要旨を限定するものではない。
【００１１】
（実施形態１）
まず、図１を参照して、実施形態１に係るシステム１について説明する。図１は、システム１を示す図である。システム１は、通信端末１０と、画像形成装置２０と、サーバー３０とを備える。本実施形態において、画像形成装置２０は、例えば、通信端末１０のユーザーの自宅又はコンビニエンスストアに設置されている。また、サーバー３０は、ユーザーの自宅及びコンビニエンスストアの外部に設置されている。すなわち、サーバー３０と画像形成装置２０とは、異なる場所に設置されている。
【００１２】
通信端末１０と画像形成装置２０とは、ネットワーク４０を介して接続する。ネットワーク４０は、例えばインターネット及びＬＡＮ（Ｌｏｃａｌ  Ａｒｅａ  Ｎｅｔｗｏｒｋ）を含む。また、画像形成装置２０とサーバー３０とは、ネットワーク５０を介して接続する。ネットワーク５０は、例えばインターネットを含む。
【００１３】
次に、図１及び図２を参照して、通信端末１０について説明する。通信端末１０は、例えば、ユーザーが操作可能なコンピューターである。具体的には、通信端末１０は、例えば、スマートフォン、タブレットコンピューター、又はパーソナルコンピューターのような移動型のコンピューターである。通信端末１０は、通信部１１と、計測部１２と、表示部１３と、ＣＰＵ（Ｃｅｎｔｒａｌ  Ｐｒｏｃｅｓｓｉｎｇ  Ｕｎｉｔ）とを備える。通信部１１は、例えば通信装置である。具体的には、通信部１１は、例えば受信機と送信機とを含む。
【００１４】
図２（ａ）は、計測部１２が対象物の寸法を計測するときの表示部１３を示す。表示部１３は、例えば、タッチパネル機能付の液晶ディスプレーである。通信端末１０のＣＰＵは、コンピュータープログラムを実行することにより、計測部１２として機能する。計測部１２は、例えば、撮像装置を含む。撮像装置は、例えば、ＣＣＤ（Ｃｈａｒａｇｅ  Ｃｏｕｐｌｅｄ  Ｄｅｖｉｃｅ）イメージセンサー、又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサーである。
【００１５】
計測部１２は、対象物の寸法を計測して第１寸法情報Ｓ１１〜Ｓ１４を生成する。対象物は、例えば、ユーザーの身体、又はユーザーが住んでいる部屋である。本実施形態において、計測部１２は、対象物としてユーザーの身体を計測する。具体的には、計測部１２は、撮像装置によってユーザーの身体を撮像する。そして、計測部１２は、例えば、三角測量を用いてユーザーの身体の部分ごとの寸法を計測し、第１寸法情報Ｓ１１〜Ｓ１４を生成する。本実施形態において、第１寸法情報Ｓ１１は、ユーザーの肩幅の寸法を示す。第１寸法情報Ｓ１２は、ユーザーの身幅の寸法を示す。第１寸法情報Ｓ１３は、ユーザーの袖丈の寸法を示す。第１寸法情報Ｓ１４は、ユーザーの着丈の寸法を示す。
【００１６】
図２（ｂ）は、計測結果を表示する表示部１３を示す。表示部１３には、計測部１２によるユーザーの身体の部分ごとの寸法の計測結果として、第１寸法情報Ｓ１１〜Ｓ１４が表示されている。また、表示部１３には、戻るボタン１３ａと、次へボタン１３ｂとが表示されている。戻るボタン１３ａがタッチされると、計測部１２は、ユーザーの身体を再度撮像し、第１寸法情報Ｓ１１〜Ｓ１４を再度生成する。一方、次へボタン１３ｂがタッチされると、表示部１３は、キーワードの入力画面を表示する。
【００１７】
図２（ｃ）は、キーワードの入力画面を表示する表示部１３を示す。本実施形態において、通信端末１０には、キーワードが入力されている。本実施形態において、キーワードは商品のブランド情報Ｂ１、Ｂ２を含む。また、表示部１３には、決定ボタン１３ｃが表示されている。決定ボタン１３ｃがタッチされると、計測部１２は、第１寸法情報Ｓ１１〜Ｓ１４を確定すると共に、ブランド情報Ｂ１、Ｂ２をキーワードとして確定する。
【００１８】
次に、図１〜図３を参照して、画像形成装置２０及びサーバー３０について説明する。画像形成装置２０は、例えば複合機である。画像形成装置２０は、通信部２１と、取得部２２と、特定部２３と、画像形成部２４とを備える。また、画像形成装置２０は、例えばＣＰＵ（図示せず）を含む。画像形成装置２０のＣＰＵは、コンピュータープログラムを実行することにより、取得部２２及び特定部２３として機能する。通信部２１は、例えば通信装置である。具体的には、通信部２１は、例えば受信機と送信機とを含む。通信部２１は、例えば、ネットワーク４０を介して、通信端末１０の通信部１１と通信する。画像形成部２４は、画像をシートに形成する。取得部２２及び特定部２３の詳細については後述する。
【００１９】
サーバー３０は、通信部３１と記憶部３２とを備える。通信部３１は、例えば通信装置である。具体的には、通信部３１は、例えば受信機と送信機とを含む。通信部３１は、例えば、ネットワーク５０を介して、画像形成装置２０の通信部２１と通信する。記憶部３２は、半導体メモリーのようなメモリーを備える。また、記憶部３２は、ＨＤＤ（Ｈａｒｄ  Ｄｉｓｋ  Ｄｒｉｖｅ）を備えてもよい。
【００２０】
図３は、第１テーブル３２ａを示す。本実施形態において、記憶部３２は、第１テーブル３２ａを記憶している。記憶部３２は、キーワードとしてのブランド情報Ｂ１〜Ｂ４と、キーワードとしての品目情報Ｎ１、Ｎ２とに関連付けて商品の寸法を示す互いに異なる複数の第２寸法情報Ｓ２１〜Ｓ２８を複数のキーワードとしてのブランド情報Ｂ１〜Ｂ４ごとに記憶する。例えば、記憶部３２は、ブランド情報Ｂ１のトップスのＳサイズの第２寸法情報Ｓ２１では、着丈が６７ｃｍであり、身幅が４７ｃｍであることを記憶している。以下、本明細書において、第２寸法情報Ｓ２１〜Ｓ２８を総称して第２寸法情報Ｓ２と記載する場合がある。品目情報Ｎ１、Ｎ２については後述する。
【００２１】
また、図示しないが、記憶部３２は、第１テーブル３２ａに加えて、ブランド情報Ｂ１〜Ｂ４のいずれかを付して提供される複数の商品の各々の販売店の地図Ｍ１〜Ｍ４と、販売店の電話番号Ｔ１〜Ｔ４と、販売店で使用可能なクーポンＣ１、Ｃ２とを記憶している。ブランド情報Ｂ１〜Ｂ４のいずれかを付して提供される複数の商品の各々の販売店の店員は、第１テーブル３２ａのうち、自身が勤務する販売店に関する情報を更新できる。例えば、販売店が移転した場合、店員は、記憶部３２に記憶される販売店の地図Ｍ１を更新する。
【００２２】
次に、図２〜図４を参照して取得部２２及び特定部２３について説明する。取得部２２は、通信部２１を介して通信端末１０から生成した第１寸法情報Ｓ１１〜Ｓ１４と、キーワードとを取得する。本実施形態において、取得部２２は、通信端末１０から生成した第１寸法情報Ｓ１１〜Ｓ１４と、キーワードとしてのブランド情報Ｂ１、Ｂ２とを取得する。
【００２３】
次に、取得部２２は、キーワードに関連する商品の寸法を示す互いに異なる複数の第２寸法情報Ｓ２を取得する。具体的には、取得部２２は、通信部２１を介して、取得したキーワードに関連付けられた商品の複数の第２寸法情報Ｓ２をサーバー３０から取得する。本実施形態において、取得部２２は、通信端末１０から取得したブランド情報Ｂ１、Ｂ２を付して提供される複数の商品の各々の寸法を示す互いに異なる第２寸法情報Ｓ２１〜Ｓ２４をサーバー３０から取得する。また、取得部２２は、複数の第２寸法情報Ｓ２１〜Ｓ２４に加えて、地図Ｍ１、Ｍ２と、電話番号Ｔ１、Ｔ２と、クーポンＣ１、Ｃ２とをサーバー３０から取得する。
【００２４】
次に、特定部２３は、サーバー３０から取得した複数の第２寸法情報Ｓ２１〜Ｓ２４のうちから第１寸法情報Ｓ１１〜Ｓ１４に対応する第２寸法情報Ｓ２１〜Ｓ２４を複数の商品ごとに特定する。ここで、特定部２３は、第１寸法情報Ｓ１１〜Ｓ１４に対応する第２寸法情報Ｓ２１〜Ｓ２４として、複数の第２寸法情報Ｓ２１〜Ｓ２４のうちから、複数の第２寸法情報Ｓ２１〜Ｓ２４の各々と第１寸法情報Ｓ１１〜Ｓ１４との誤差がより小さい第２寸法情報Ｓ２１〜Ｓ２４を特定してもよい。また、特定部２３は、複数の第２寸法情報Ｓ２１〜Ｓ２４のうちから、複数の第２寸法情報Ｓ２１〜Ｓ２４の各々と第１寸法情報Ｓ１１〜Ｓ１４との誤差が所定の範囲内である第２寸法情報Ｓ２１〜Ｓ２４を特定してもよい。本実施形態において、特定部２３は、複数の第２寸法情報Ｓ２１のうちから、複数の第２寸法情報Ｓ２１の各々と第１寸法情報Ｓ１１〜Ｓ１４との誤差がより小さいＭサイズを示す第２寸法情報Ｓ２１を特定する。同様に、特定部２３は、第２寸法情報Ｓ２２〜Ｓ２４を特定する。
【００２５】
また、特定部２３は、第１寸法情報Ｓ１１〜Ｓ１４と、特定された第２寸法情報Ｓ２１〜Ｓ２４との差分Ｄ１、Ｄ２を算出する。本実施形態において、差分Ｄ１は、特定された第２寸法情報Ｓ２１、Ｓ２２と第１寸法情報Ｓ１１〜Ｓ１４との差を示す。差分Ｄ２は、特定された第２寸法情報Ｓ２３、Ｓ２４と第１寸法情報Ｓ１１〜Ｓ１４との差を示す。
【００２６】
図４は、画像形成部２４が画像を形成した第１シートＰ１を示す。図４に示すように、画像形成部２４は、特定された第２寸法情報Ｓ２１〜Ｓ２４を含む画像を第１シートＰ１（シート）に形成する。具体的には、画像形成部２４は、複数の商品ごとに特定された第２寸法情報Ｓ２１〜Ｓ２４を含む画像を第１シートＰ１に形成する。また、画像形成部２４は、特定された第２寸法情報Ｓ２１〜Ｓ２４に加えて、差分Ｄ１、Ｄ２と、販売店の地図Ｍ１、Ｍ２と、電話番号Ｔ１、Ｔ２と、クーポンＣ１、Ｃ２とを含む画像を第１シートＰ１に形成する。
【００２７】
通信部２１は、画像形成部２４が第１シートＰ１に形成した画像の画像データを、ネットワーク４０を介して通信端末１０に送信する。画像形成部２４が第１シートＰ１に画像を形成したことに応じて、画像形成装置２０は、第１シートＰ１に形成した画像のデータを画像形成装置２０から消去する。
【００２８】
以上、図１〜図４を参照して説明したように、本実施形態によれば、商品の寸法を示す互いに異なる複数の第２寸法情報Ｓ２のうち、第１寸法情報Ｓ１１〜Ｓ１４に対応する第２寸法情報Ｓ２が特定され、特定された第２寸法情報Ｓ２を含む画像が第１シートＰ１に形成される。従って、ユーザーは、商品の購入前に、対象物の寸法に合った商品の第２寸法情報Ｓ２がわかる。その結果、対象物の寸法に合わない商品が購入されることを抑制できる。例えば、ユーザーがインターネットを介してウェブサイトで衣服を購入する場合、購入する衣服を選択する前に、特定された第２寸法情報Ｓ２を含む画像が形成された第１シートＰ１をユーザーが参照する。その結果、ユーザーの身体の寸法に合わない商品が購入されることを抑制できる。
【００２９】
また、本実施形態によれば、第１シートＰ１には、特定された第２寸法情報Ｓ２に加えて、差分Ｄ１、Ｄ２を含む画像が形成される。従って、ユーザーは、差分Ｄ１、Ｄ２を参照しつつ、購入する商品を選択できる。その結果、対象物の寸法に合わない商品が購入されることをさらに抑制できる。
【００３０】
さらに、本実施形態によれば、第１シートＰ１には、特定された第２寸法情報Ｓ２に加えて、商品の販売店の地図Ｍ１、Ｍ２を含む画像が形成される。従って、ユーザーは、地図Ｍ１、Ｍ２を参照して、実在する商品の販売店に行くことができる。その結果、ユーザーの利便性が向上する。
【００３１】
さらに、本実施形態によれば、第１シートＰ１には、特定された第２寸法情報Ｓ２に加えて、商品の販売店で使用可能なクーポンＣ１、Ｃ２を含む画像が形成される。従って、ユーザーは、クーポンＣ１、Ｃ２を参照しつつ、購入する商品を選択できる。その結果、ユーザーの利便性が向上する。
【００３２】
さらに、本実施形態によれば、画像形成部２４が第１シートＰ１に形成した画像の画像データは、ネットワーク４０を介して通信端末１０に送信される。従って、ユーザーは、第１シートＰ１に加えて、特定された第２寸法情報Ｓ２を通信端末１０でも確認することができる。その結果、ユーザーの利便性が向上する。
【００３３】
さらに、本実施形態によれば、画像形成部２４が第１シートＰ１に画像を形成したことに応じて、第１シートＰ１に形成された画像のデータが画像形成装置２０から消去される。従って、特定された第２寸法情報Ｓ２が第三者に通知されることを防止できる。
【００３４】
さらに、本実施形態によれば、ユーザーの身体を撮像するだけでユーザーの身体の部分ごとの寸法が計測され、第１寸法情報Ｓ１１〜Ｓ１４が生成される。従って、ユーザー自身がユーザーの身体を計測する手間を省くことができる。
【００３５】
次に、図３、図５及び図６を参照して、通信端末１０に入力されたキーワードが品目情報Ｎ１である場合について説明する。図５は、表示部１３に表示された次へボタン１３ｂ（図２（ｂ）参照）がタッチされた後に、キーワードの入力画面を表示する表示部１３を示す。本実施形態において、キーワードは、品目情報Ｎ１を含む。決定ボタン１３ｃがタッチされると、計測部１２は、第１寸法情報Ｓ１１〜Ｓ１４を確定すると共に、品目情報Ｎ１をキーワードとして確定する。
【００３６】
次に、取得部２２は、通信端末１０から、生成した第１寸法情報Ｓ１１〜Ｓ１４と、キーワードとしての品目情報Ｎ１とを取得する。そして、取得部２２は、品目情報Ｎ１によって示される商品の寸法を示す互いに異なる複数の第２寸法情報Ｓ２１、Ｓ２３、Ｓ２５、Ｓ２７をブランド情報Ｂ１〜Ｂ４ごとにサーバー３０から取得する。また、取得部２２は、複数の第２寸法情報Ｓ２１、Ｓ２３、Ｓ２５、Ｓ２７に加えて、地図Ｍ１〜Ｍ４と、電話番号Ｔ１〜Ｔ４とをサーバー３０から取得する。
【００３７】
次に、特定部２３は、サーバー３０から取得した複数の第２寸法情報Ｓ２１、Ｓ２３、Ｓ２５、Ｓ２７のうちから第１寸法情報Ｓ１１〜Ｓ１４に対応する第２寸法情報Ｓ２１、Ｓ２３、Ｓ２５、Ｓ２７をブランド情報Ｂ１〜Ｂ４ごとに特定する。本実施形態において、特定部２３は、複数の第２寸法情報Ｓ２１のうちから、複数の第２寸法情報Ｓ２１の各々と第１寸法情報Ｓ１１〜Ｓ１４との誤差がより小さいＭサイズを示す第２寸法情報Ｓ２１を特定する。同様に、特定部２３は、第２寸法情報Ｓ２３、Ｓ２５、Ｓ２７を特定する。また、特定部２３は、第１寸法情報Ｓ１１〜Ｓ１４と、特定された第２寸法情報Ｓ２１、Ｓ２３、Ｓ２５、Ｓ２７との差分Ｄ３をブランド情報Ｂ１〜Ｂ４ごとに算出する。
【００３８】
図６は、画像形成部２４が画像を形成した第２シートＰ２を示す。図６に示すように、画像形成部２４は、ブランド情報Ｂ１〜Ｂ４ごとに特定された第２寸法情報Ｓ２１、Ｓ２３、Ｓ２５、Ｓ２７を含む画像を第２シートＰ２（シート）に形成する。また、画像形成部２４は、特定された第２寸法情報Ｓ２１、Ｓ２３、Ｓ２５、Ｓ２７に加えて、差分Ｄ３と、品目情報Ｎ１によって示される商品の販売店の地図Ｍ１〜Ｍ４と、電話番号Ｔ１〜Ｔ４とを含む画像を第２シートＰ２に形成する。
【００３９】
以上、図５及び図６を参照して説明したように、本実施形態によれば、ブランド情報Ｂ１〜Ｂ４ごとに特定された第２寸法情報Ｓ２を含む画像が第２シートＰ２に形成される。従って、商品の購入前に第２シートＰ２を参照することによって、ユーザーは、ブランド情報Ｂ１〜Ｂ４のうちから、ユーザーの身体の寸法に合った商品を販売するブランド情報Ｂ１〜Ｂ４がわかる。その結果、ユーザーの身体の寸法に合わない商品が購入されることを抑制できる。
【００４０】
また、本実施形態によれば、第２シートＰ２には、特定された第２寸法情報Ｓ２に加えて、ブランド情報Ｂ１〜Ｂ４ごとに算出された差分Ｄ３を含む画像が形成される。従って、商品の購入前に差分Ｄ３を参照することで、ユーザーは、ユーザーの身体の寸法に合った商品を販売するブランド情報Ｂ１〜Ｂ４を選択できる。その結果、ユーザーの身体の寸法に合わない商品が購入されることをさらに抑制できる。
【００４１】
（実施形態２）
図１及び図７〜図９を参照して、本発明の実施形態２に係るシステム１について説明する。実施形態２に係るシステム１は、画像形成装置２０及びサーバー３０が商品の販売店の内部に設置される点と、通信端末１０と画像形成装置２０とが近距離無線通信を実行する点とを除いて、実施形態１に係るシステム１と同様である。以下、実施形態２が実施形態１と異なる点を主に説明する。
【００４２】
画像形成装置２０は、販売店の内部に設置されており、ユーザーが自由に操作できる。また、サーバー３０は、販売店の内部に設置されており、販売店の店員が管理する。ユーザーは、サーバー３０を操作できない。通信端末１０と画像形成装置２０とは、例えば、Ｂｌｕｅｔｏｏｔｈ（登録商標）に準じた近距離無線通信を実行する。画像形成装置２０とサーバー３０とは、ネットワーク５０を介して接続する。本実施形態において、ネットワーク５０は、例えばインターネット及びＬＡＮを含む。通信端末１０は、氏名Ｑ１及び電話番号Ｑ２のようなユーザーの個人情報を記憶している。
【００４３】
図７（ａ）は、計測部１２が対象物の寸法を計測するときの表示部１３を示す。本実施形態において、計測部１２は、対象物としてユーザーの身体の部分を計測し、第１寸法情報Ｓ１１〜Ｓ１４を生成する。図７（ｂ）は、計測結果を表示する表示部１３を示す。表示部１３には、計測部１２によるユーザーの身体の部分ごとの寸法の計測結果として、第１寸法情報Ｓ１１〜Ｓ１４が表示されている。次へボタン１３ｂがタッチされると、表示部１３は、キーワードの入力画面を表示する。
【００４４】
図７（ｃ）は、キーワードの入力画面を表示する表示部１３を示す。本実施形態において、キーワードは、品目情報Ｎ２を含む。決定ボタン１３ｃがタッチされると、計測部１２は、第１寸法情報Ｓ１１〜Ｓ１４を確定すると共に、品目情報Ｎ２をキーワードとして確定する。
【００４５】
次に、ユーザーは、通信端末１０と画像形成装置２０とを近距離無線通信させる。例えば、ユーザーは、通信端末１０を画像形成装置２０に近づける。通信端末１０が画像形成装置２０に近づけられると、画像形成装置２０の取得部２２は、通信部２１を介して、生成した第１寸法情報Ｓ１１〜Ｓ１４と、品目情報Ｎ２とを通信端末１０から取得する。さらに、取得部２２は、通信部２１を介して、氏名Ｑ１及び電話番号Ｑ２のようなユーザーの個人情報を通信端末１０から取得する。
【００４６】
図８は、第２テーブル３２ｂを示す。記憶部３２は、第２テーブル３２ｂを記憶している。本実施形態において、第２テーブル３２ｂは、販売店の店員によって管理されている。記憶部３２は、品目情報Ｎ１、Ｎ２によって示される商品の寸法を示す互いに異なる複数の第２寸法情報Ｓ２９、Ｓ３０を品目情報Ｎ１、Ｎ２ごとに記憶する。例えば、記憶部３２は、品目情報Ｎ１のＳサイズの第２寸法情報Ｓ２１では、着丈が６７ｃｍであり、身幅が４７ｃｍであることを記憶している。以下、本明細書において、第２寸法情報Ｓ２９、Ｓ３０を総称して第２寸法情報Ｓ２と記載する場合がある。記憶部３２は、第２テーブル３２ｂに加えて、販売店で使用可能なクーポンＣ３と、品目情報Ｎ１、Ｎ２によって示される商品の在庫情報とを記憶している。
【００４７】
取得部２２は、通信端末１０から取得した品目情報Ｎ２によって示される商品の寸法を示す互いに異なる複数の第２寸法情報Ｓ３０をサーバー３０から取得する。また、取得部２２は、複数の第２寸法情報Ｓ３０に加えて、画像形成装置２０及びサーバー３０が設置されている販売店で使用可能なクーポンＣ３と、品目情報Ｎ２によって示される商品の在庫情報とを取得する。
【００４８】
次に、特定部２３は、サーバー３０から取得した複数の第２寸法情報Ｓ３０のうちから第１寸法情報Ｓ１１〜Ｓ１４に対応する第２寸法情報Ｓ３０を特定する。本実施形態において、特定部２３は、複数の第２寸法情報Ｓ３０のうちから第１寸法情報Ｓ１１〜Ｓ１４との誤差がより小さいＬサイズを示す第２寸法情報Ｓ３０を特定する。また、特定部２３は、第１寸法情報Ｓ１１〜Ｓ１４と、特定された第２寸法情報Ｓ３０との差分Ｄ４を算出する。さらに、取得した在庫情報が、特定された第２寸法情報Ｓ３０の商品が販売店に無いことを示す場合、取得部２２は、特定された第２寸法情報Ｓ３０の商品を予約することを示す情報Ｒをサーバー３０から取得する。
【００４９】
図９は、画像形成部２４が画像を形成した第３シートＰ３を示す。図９に示すように、画像形成部２４は、特定された第２寸法情報Ｓ３０を含む画像を第３シートＰ３（シート）に形成する。また、画像形成部２４は、特定された第２寸法情報Ｓ３０に加えて、品目情報Ｎ２と、差分Ｄ４と、クーポンＣ３と、情報Ｒとを含む画像を形成する。第３シートＰ３に形成された情報Ｒには、通信端末１０から取得したユーザーの氏名Ｑ１及びユーザーの電話番号Ｑ２のような個人情報が含まれている。なお、サーバー３０から取得した在庫情報が、特定された第２寸法情報Ｓ３０の商品が販売店にあることを示す場合、画像形成部２４は、情報Ｒを含む画像を第３シートＰ３には形成しない。
【００５０】
以上、図１及び図７〜図９を参照して説明したように、本実施形態によれば、特定された第２寸法情報Ｓ２に加えて、商品を予約することを示す情報Ｒを含む画像が第３シートＰ３に形成される。従って、特定された第２寸法情報Ｓ３０の商品が販売店に無い場合、ユーザーは、第３シートＰ３を販売店の店員に渡すだけで、商品を予約できる。その結果、ユーザーの利便性が向上する。
【００５１】
また、本実施形態によれば、第３シートＰ３には、第１寸法情報Ｓ１１〜Ｓ１４と、特定された第２寸法情報Ｓ３０との差分Ｄ４を含む画像が形成される。従って、ユーザーは、商品の購入前に、ユーザーの身体の寸法に合った商品の第２寸法情報Ｓ２がわかる。その結果、ユーザーの身体の寸法に合わない商品が購入されることを抑制できる。
【００５２】
さらに、本実施形態によれば、第３シートＰ３に形成された情報Ｒには、通信端末１０から取得した氏名Ｑ１及び電話番号Ｑ２のようなユーザーの個人情報が含まれている。従って、特定された第２寸法情報Ｓ３０の商品が販売店に無い場合、ユーザーは、第３シートＰ３にユーザーの個人情報を記入することなく、第３シートＰ３を販売店の店員に渡すだけで、商品を予約できる。その結果、ユーザーが第３シートＰ３に個人情報を手書きする手間を省くことができる。
【００５３】
（実施形態３）
図１０〜図１２を参照して、本発明の実施形態３に係るシステム１について説明する。実施形態３に係るシステム１は、画像形成装置２０が画像読取部２５をさらに備える点を除いて、実施形態１に係るシステム１と同様である。以下、実施形態３が実施形態１と異なる点を主に説明する。
【００５４】
図１０は、システム１を示す図である。本実施形態において、画像形成装置２０は、通信端末１０のユーザーの自宅又はコンビニエンスストアに設置されている。また、サーバー３０は、ユーザーの自宅及びコンビニエンスストアの外部に設置されている。画像形成装置２０は、画像読取部２５をさらに備える。画像読取部２５は、例えば、ＯＣＲ（Ｏｐｔｉｃａｌ  Ｃｈａｒａｃｔｅｒ  Ｒｅｃｏｇｎｉｔｉｏｎ）機能を有する。ＯＣＲ機能は、読取原稿に形成された画像に含まれる文字（例えば、平仮名、カタカナ、アルファベッド、漢字、数字、記号）を光学的に認識し、文字を文字コードに変換する機能である。
【００５５】
図１１（ａ）は、キーワードが記入された注文シートＰ４を示す。注文シートＰ４（シート）は、商品を注文するためのシートである。注文シートＰ４は、例えば、カタログに掲載された商品を購入する通信販売において、ユーザーが商品を注文するための専用のシートである。本実施形態において、ユーザーは、キーワードとして、注文する商品を示す品目情報Ｎ３を注文シートＰ４に記入する。
【００５６】
次に、ユーザーは、通信端末１０を操作して第１寸法情報Ｓ１１〜Ｓ１４とユーザーの氏名Ｑ３と住所Ｑ４と電話番号Ｑ５とを画像形成装置２０に送信する。画像形成装置２０の取得部２２は、通信部２１を介して、第１寸法情報Ｓ１１〜Ｓ１４と、ユーザーの氏名Ｑ３と住所Ｑ４と電話番号Ｑ５とを通信端末１０から取得する。そして、ユーザーは、品目情報Ｎ３が記入された注文シートＰ４を画像読取部２５にセットする。画像読取部２５は、ＯＣＲ機能を実行して、注文シートＰ４に記載された品目情報Ｎ３を読み取る。取得部２２は、画像読取部２５を介して注文シートＰ４から品目情報Ｎ３を取得する。次に、取得部２２は、画像読取部２５を介して取得した品目情報Ｎ３に関連付けられた商品の複数の第２寸法情報Ｓ３１をサーバー３０から取得する。
【００５７】
図１２は、第３テーブル３２ｃを示す。記憶部３２は、第３テーブル３２ｃを記憶している。記憶部３２は、品目情報Ｎ３、Ｎ４に関連付けて商品の寸法を示す互いに異なる複数の第２寸法情報Ｓ３１、Ｓ３２を記憶する。例えば、記憶部３２は、品目情報Ｎ３のＳサイズの第２寸法情報Ｓ３１では、着丈が６０ｃｍであり、肩幅が３６ｃｍであり、袖丈が４９ｃｍであることを記憶している。以下、本明細書において、第２寸法情報Ｓ３１、Ｓ３２を総称して第２寸法情報Ｓ２と記載する場合がある。
【００５８】
次に、特定部２３は、サーバー３０から取得した複数の第２寸法情報Ｓ３１のうちから第１寸法情報Ｓ１１〜Ｓ１４に対応する第２寸法情報Ｓ３１を特定する。本実施形態において、特定部２３は、複数の第２寸法情報Ｓ３１のうちから、複数の第２寸法情報Ｓ３１の各々と第１寸法情報Ｓ１１〜Ｓ１４との誤差がより小さいＭサイズを示す第２寸法情報Ｓ３１を特定する。次に、ユーザーは、画像形成装置２０の給送カセット（図示せず）に、注文シートＰ４をセットする。
【００５９】
図１１（ｂ）は、画像形成部２４が画像を形成した注文シートＰ４を示す。図１１（ｂ）に示すように、画像形成部２４は、給送カセットにセットされた注文シートＰ４に、特定された第２寸法情報Ｓ３１を含む画像を形成する。また、画像形成部２４は、特定された第２寸法情報Ｓ３１に加えて、ユーザーの氏名Ｑ３と住所Ｑ４と電話番号Ｑ５とを含む画像を注文シートＰ４に形成する。
【００６０】
以上、図１０〜図１２を参照して説明したように、本実施形態によれば、画像読取部２５を介して注文シートＰ４からキーワードが取得され、取得したキーワードに関連する商品の第２寸法情報Ｓ３１が特定され、特定された第２寸法情報Ｓ３１を含む画像が注文シートＰ４に形成される。従って、注文シートＰ４には、ユーザーの身体に合った商品の第２寸法情報Ｓ３１が記入される。その結果、ユーザーの身体の寸法に合わない商品が購入されることを抑制できる。
【００６１】
また、本実施形態によれば、注文シートＰ４には、ユーザーの氏名Ｑ３と住所Ｑ４と電話番号Ｑ５とが形成されている。従って、ユーザーが注文シートＰ４にユーザーの個人情報を記入する手間を省くことができる。その結果、ユーザーの利便性が向上する。
【００６２】
以上、図面（図１〜図１２）を参照しながら本発明の実施形態について説明した。但し、本発明は、上記の実施形態に限られるものではなく、その要旨を逸脱しない範囲で種々の態様において実施することが可能である（例えば、下記に示す（１）〜（８））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００６３】
（１）図４を参照して説明したように、画像形成部２４は、特定された第２寸法情報Ｓ２１〜Ｓ２４と、差分Ｄ１、Ｄ２と、商品の販売店の地図Ｍ１、Ｍ２と、電話番号Ｔ１、Ｔ２と、クーポンＣ１、Ｃ２とを含む画像を第１シートＰ１に形成した。ただし、特定された第２寸法情報Ｓ２１〜Ｓ２４と、差分Ｄ１、Ｄ２と、商品の販売店の地図Ｍ１、Ｍ２と、電話番号Ｔ１、Ｔ２と、クーポンＣ１、Ｃ２とは、それぞれ異なる第１シートＰ１に形成されていてもよい。また、特定された第２寸法情報Ｓ２１〜Ｓ２４が第１シートＰ１に形成される限り、差分Ｄ１、Ｄ２と、商品の販売店の地図Ｍ１、Ｍ２と、電話番号Ｔ１、Ｔ２と、クーポンＣ１、Ｃ２とのうちの少なくとも１つが第１シートＰ１に形成されていなくてもよい。
【００６４】
（２）図６を参照して説明したように、画像形成部２４は、特定された第２寸法情報Ｓ２１、Ｓ２３、Ｓ２５、Ｓ２７と、差分Ｄ３と、商品の販売店の地図Ｍ１〜Ｍ４と、電話番号Ｔ１〜Ｔ４とを含む画像を第２シートＰ２に形成した。ただし、特定された第２寸法情報Ｓ２１、Ｓ２３、Ｓ２５、Ｓ２７と、差分Ｄ３と、商品の販売店の地図Ｍ１〜Ｍ４と、電話番号Ｔ１〜Ｔ４とは、それぞれ異なる第２シートＰ２に形成されていてもよい。また、画像形成部２４は、ブランド情報Ｂ１〜Ｂ４を付して提供される商品の販売店で使用可能なクーポンを第２シートＰ２に形成してもよい。
【００６５】
（３）図２を参照して説明したように、計測部１２は、対象物としてユーザーの身体の部分を計測した。ただし、計測部１２は、ユーザーが住んでいる部屋を計測してもよい。従って、ユーザーが住んでいる部屋の寸法に合わない家具が購入されることを抑制する。また、計測部１２は、ユーザーが住んでいる部屋に加えて、ユーザーが住んでいる家の玄関を計測する。そして、ユーザーが商品として家具を購入する場合、画像形成装置２０は、家具の購入前に、ユーザーの自宅に家具を搬入できるか否かを判定できる。従って、ユーザーの自宅に搬入できない家具が購入されることを抑制する。
【００６６】
（４）図４を参照して説明したように、通信部２１は、画像形成部２４が第１シートＰ１に形成した画像の画像データを、ネットワーク４０を介して通信端末１０に送信した。ただし、画像形成部２４が第１シートＰ１に画像を形成する限り、通信部２１は、画像形成部２４が第１シートＰ１に形成した画像の画像データを、通信端末１０に送信しなくてもよい。
【００６７】
（５）図４を参照して説明したように、画像形成部２４が第１シートＰ１に画像を形成したことに応じて、画像形成部２４は、第１シートＰ１に形成した画像のデータを画像形成装置２０から消去した。ただし、画像形成部２４が第１シートＰ１に画像を形成する限り、画像形成部２４は、第１シートＰ１に形成した画像のデータを画像形成装置２０から消去しなくてもよい。
【００６８】
（６）図７（ｃ）を参照して説明したように、取得部２２は、通信部２１を介して、氏名Ｑ１及び電話番号Ｑ２のようなユーザーの個人情報を通信端末１０から取得した。ただし、取得部２２が第１寸法情報Ｓ１１〜Ｓ１４とキーワードとを通信端末１０から取得する限り、取得部２２は、ユーザーの個人情報を通信端末１０から取得しなくてもよい。この場合、第３シートＰ３には、ユーザーの個人情報は形成されない。
【００６９】
（７）図４を参照して説明したように、第１シートＰ１には、特定された第２寸法情報Ｓ２１〜Ｓ２４と、差分Ｄ１、Ｄ２と、販売店の地図Ｍ１、Ｍ２と、電話番号Ｔ１、Ｔ２と、クーポンＣ１、Ｃ２とを含む画像が形成された。ただし、第１シートＰ１に特定された第２寸法情報Ｓ２１〜Ｓ２４を含む画像が形成される限り、第１シートＰ１には、画像形成装置２０の設置場所の近くに位置する商品の販売店の一覧表を含む画像が形成されてもよい。
【００７０】
（８）図１及び図２を参照して説明したように、通信端末１０が対象物を撮像することによって、第１寸法情報Ｓ１１〜Ｓ１４が生成された。ただし、第１寸法情報Ｓ１１〜Ｓ１４が生成される限り、３Ｄスキャナーによって対象物をスキャンすることによって、第１寸法情報Ｓ１１〜Ｓ１４が生成されてもよい。
【産業上の利用可能性】
【００７１】
本発明は、画像形成装置の分野に利用可能であり、産業上の利用可能性を有する。
【符号の説明】
【００７２】
１      システム
１０    通信端末
２０    画像形成装置
２２    取得部
２３    特定部
２４    画像形成部
３０    サーバー
Ｂ１〜Ｂ４        ブランド情報（キーワード）
Ｄ１〜Ｄ４        差分
Ｍ１〜Ｍ４        地図
Ｎ１、Ｎ２        品目情報（キーワード）
Ｐ１              第１シート（シート）
Ｐ２              第２シート（シート）
Ｐ３              第３シート（シート）
Ｐ４              発注シート（シート）
Ｒ                情報
Ｓ１１〜Ｓ１４    第１寸法情報
Ｓ２              第２寸法情報
【図１】
2019061430.tif 000003
【図２】
2019061430.tif 000004
【図３】
2019061430.tif 000005
【図４】
2019061430.tif 000006
【図５】
2019061430.tif 000007
【図６】
2019061430.tif 000008
【図７】
2019061430.tif 000009
【図８】
2019061430.tif 000010
【図９】
2019061430.tif 000011
【図１０】
2019061430.tif 000012
【図１１】
2019061430.tif 000013
【図１２】
2019061430.tif 000014